(57)【要約】【課題】簡単な構成で、サブウーハの最適位置を容易に探すことができる低音用スピーカシステムを提供する。【解決手段】サブウーハとして用いる低音用スピーカシステム１において、マイクロホン３と、前記マイクロホン３が検出した音のレベルを表示する表示装置４ａ、４ｂ、４ｃとを、前記スピーカシステム１内に備えた。【選択図】　　　　図１
2004104289.tif 000002
【特許請求の範囲】
【請求項１】
サブウーハとして用いる低音用スピーカシステムにおいて、マイクロホンと、前記マイクロホンが検出した音のレベルを表示する表示装置とを、前記スピーカシステム内に備えたことを特徴とする低音用スピーカシステム。
【請求項２】
前記マイクロホンを前記スピーカシステムの低音の放射部分から最も遠い位置に設置したことを特徴とした請求項１の低音用スピーカシステム。
【請求項３】
前記スピーカシステムには発振器を内蔵し、システム自体でスピーカから前記発振器からの発振音を出力できるようにしたことを特徴とした請求項１または２の低音用スピーカシステム。
【請求項４】
前記発振器は低音の狭帯域ノイズを発振するように構成したことを特徴とした請求項３の低音用スピーカシステム。
【請求項５】
前記狭帯域ノイズの範囲は複数であり、随時切り替えられるようにしたことを特徴とした請求項４の低音用スピーカシステム。
【請求項６】
前記スピーカシステムに低音の信号を記録した記録媒体とその記録媒体を再生する再生装置を付属したことを特徴とした請求項１または２の低音用スピーカシステム。
【請求項７】
前記低音の信号は狭帯域ノイズであることを特徴とした請求項６の低音用スピーカシステム。
【請求項８】
前記低音の狭帯域ノイズ範囲は複数であることを特徴とした請求項７の低音用スピーカシステム。
【請求項９】
前記マイクロホンは取り外すことができ、任意の位置に設置することができるように構成したことを特徴とした請求項１から８のいずれかに記載した低音用スピーカシステム。
【請求項１０】
前記マイクロホンで検出した信号は任意のフィルターを通した後でレベル表示されるようにしたことを特徴とした請求項１から９のいずれかに記載した低音用スピーカシステム。
【請求項１１】
前記フィルターは８０Ｈｚから１５０Ｈｚの範囲に設定したことを特徴とした請求項１０の低音用スピーカシステム。
【請求項１２】
前記表示装置は複数の周波数毎に設けられており、切り替えによって、複数の周波数毎に表示ができるようになっていることを特徴とした請求項１０または１１の低音用スピーカシステム。
【請求項１３】
前記低音用スピーカシステムは車載用であることを特徴とする請求項１から１２のいずれかに記載した低音用スピーカシステム。
【発明の詳細な説明】
【０００１】
【発明の属する技術分野】
本発明は低音用スピーカシステムに関し、とくに、その最適設置位置を容易に見つけることができる低音用スピーカシステムに関する。
【０００２】
【従来の技術】
従来、サブウーハを最適位置に設置する場合には、耳で音を確認して設置していた。また、サブウーハにマイクロホンがついたものはなかった。
【０００３】
運転席にマイクロホンを置いて、最適な音場が得られるように制御する音響装置の例は特開２０００−２６１８７９公報に提案されている。この音響装置は座席の耳の位置にマイクロホンを配置し、前記マイクロホンからの信号をシステム制御回路に入力し、システム制御回路の解析値によりスピーカの移動方向をランプに表示する。
【０００４】
上記音響装置ではスピーカとは別にマイクロホンを座席の耳の位置に配置しなければならず、車両への取り付けが面倒である。また、システム制御回路は複雑な信号処理をする必要があり、設計および製造が困難であるという問題があった。
【０００５】
【発明が解決しようとする課題】
前述のように従来のシステムではサブウーハの最適位置を探すことが非常に困難であり、特に、に耳で確認する場合には低音のレベルが判断しにくく、良い低音かどうかを判断できなかった。
【０００６】
本発明は上記問題点を解決するためになされたものであり、その目的とするところは、簡単な構成で、サブウーハの最適位置を容易に探すことができる低音用スピーカシステムを提供することにある。
【０００７】
【課題を解決するための手段】
上記の問題点を解決するため、本発明においては、サブウーハ自体にマイクロホンを設けることとし、前記マイクロホンで検出した低音のレベルを表示するようにした。また、自分の低音の好みで選べるように、周波数の違う複数のレベル表示を設けた。
【０００８】
サブウーハとして用いる低音用スビーカシステムを設置する場合、場所によつて大きく再生レベルが変わってくる。例えば、部屋の隅に置いたような場合ではスビーカを囲む３方向の壁からの反射によって、波長の長い低周波では計算上１８ｄＢレベルが上がる。すなわち、１つの壁による反射で６ｄＢのレベルアップとなる。
【０００９】
また、部屋による定在波や空間の共振モードによっても設置位置による低音レベルの変化が生じる。以上のようなことを考慮したときに、車のような狭い空間では、車室内寸法に比べて十分に長い波長を持った低音のレベルは略車室内で一定であり、さらに低音用スピーカシステムの設置位置と聴取位置（運転席）との距離で共振モードの腹と節が生じないような周波数では、前記スピーカの位置での音量レベルが聴取位置のレべルと略−致する。一方、比較的高い周波数の低音でサブウーハと聴取位置が離れている場合には、波長によるモードの腹と節の位置を推定して、聴取位置が腹の位置付近にくるような範囲でサブウーハを移動させることで、前述と同様にサブウーハの位置と聴取位置の音量レベルが一致する。このことから、前記スピーカから低音を出力しマイクロホン自身が出力した音のレベルを検出することにより、最適位置を決めることが可能となる。
【００１０】
すなわち、検出した低音のレベルがー番大きいときに、その場所がその低音を再生するのにもっとも適した場所であると誰でも客観的に容易に判断できることになる。
【００１１】
このとき、発振する周波数が単一のサイン波であると、室内の共振モードが強く影響しすぎて音質上好ましくないポイントに設置してしまう可能性がある。そこで、発振する音を低音の狭帯域ノイズにすることにより、バランスの良い低音が得られる位置を検出できる。
【００１２】
【発明の実施の形態】
本発明に係る実施例を図面により説明する。図１は本発明の実施例である低音用スピーカシステム１の構成を示すブロック図、図２は同低音用スピーカシステム１示す外観図である。図２に示す本実施例の低音用スピーカシステム１はアンプ内蔵型のサブウーハシステムであり、図に示す車載用のサブウーハシステム１は、サブウーハ２、マイクロホン３、レべル表示装置４ａ、４ｂ、４ｃおよび切り替えスイッチ５がサブウーハシステム１の外部から見える位置に配置されている。
【００１３】
なお、マイクロホン３はサブウーハ２からの音や振動ができるだけ直接に伝わらないようにサブウーハ２から離れた位置に配置することが好ましく、取り付け位置が変えられるようにしてもよい。
【００１４】
図１により実施例のサブウーハシステム１の構成を説明する。本サブウーハシステム１には発振器６ａおよび６ｂが内蔵されている。発振器６ａは６０Ｈｚの周波数を中心とする狭帯域ノイズを発振し、発振器６ｂは１５０Ｈｚの周波数を中心とする狭帯域ノイズを発振する。音声信号入力端子１０は車載用音響機器の音声信号出力端子に接続される。
【００１５】
切り替えスイッチ５により選択された発振器６ａ、６ｂの出力または車載用音響機器の音声信号出力はサブウーハ２を駆動する。すなわち、サブウーハシステム１自体でスピーカから低音の発振音を出力でき、さらに、車載用音響機器の音声を出力できるように構成している。
【００１６】
そして、選択できる狭帯域ノイズの範囲は複数であり、自分の低音の好みがタイトでパンチのある場合には比較的高い周波数を選べ、深みのある低音を好む場合には比比較的低い周波数を選べるようになっている。
【００１７】
マイクロホン３からの信号はフィルター７ａ、７ｂ、７ｃに入力され、切り替えスイッチ５によりいずれかのフィルター７ａ、７ｂ、７ｃの出力信号が選択され、増幅器８に入力される。フィルター７ａの通過中心周波数は６０Ｈｚであり、フィルター７ｂの通過中心周波数は１５０Ｈｚである。フィルター７ｃの通過帯域はフィルター７ａおよび７ｂより広くなっている。
【００１８】
増幅器８の出力は切り替えスイッチ５により選択されたレベル表示信号出力装置９ａ、９ｂ、９ｃのいずれかに入力される。レベル表示信号出力装置９ａ、９ｂ、９ｃは入力された信号のレベルに応じて夫々レベル表示装置４ａ、４ｂ、４ｃに狭帯域ノイズのレベルを表示させる信号を出力する。
【００１９】
上記切り替えスイッチ５、５、５は連動し、切り替えスイッチ５、５、５は発振器６ａ、フィルター７ａおよびレベル表示信号出力装置９ａを選択し、または、発振器６ｂ、フィルター７ｂおよびレベル表示信号出力装置９ｂを選択することができる。あるいは、車載用音響機器の音声信号出力でサブウーハ２を駆動し、マイクロホン３からの入力をフイルター７ｃ、レベル表示信号出力装置９ｃを介して音声レベルをレベル表示装置４ｃに表示できる。
【００２０】
この状態で車載用音響機器が使用されるが、トラック毎に狭帯域ノイズの記録されているＣＤ等を使用して各狭帯域ノイズのレベルを表示させることもできる。なお、各狭帯域ノイズの記録されたＣＤ等を再生する再生装置を低音用スピーカシステム１に設けてもよい。
【００２１】
ここで、最適位置検出の手順を述べる。前記サブウーハシステム１を例えば車室内に設置するとした場合、ワゴン車であれば、荷室に設置することが多い。荷室のどの場所がー番好ましい場所かを探すために、先ず自分の好みの低音をスイッチ５により選択する。（スイッチ５の選択の仕方は取り扱い説明書等に記しておく）
本実施例のスピーカでは６０Ｈｚ、１５０ＨｚまたはＣＤ等に記録された任意の狭帯域ノイズが選べるようになっている。６０Ｈｚは深みのある低音を好む場合、１５０Ｈｚは締まり感のある低音を好む場合という設定になっている。
【００２２】
それにより選ばれた周波数の狭帯域ノイズがサブウーハシステム１のサブウーハ２から出力される。マイクロホン３により検出された狭帯域ノイズのレベルがレベルメータ４ａ、４ｂまたは４ｃにより表示されるので、サブウーハシステム１を移動してその表示が最大となる位置で、スピーカが設置可能な位置を選び設置位置を決定する。このような設定ができる理由は前述の通りである。
【００２３】
上記構成において、レベルメータが複数個設けられており、それぞれ異なった周波数範囲のレベルを表示するように設定することができるため、各周波数のレベルのバランスを見ながら好みのバランスの低音が得られる場所を探して設置することが可能である。
【００２４】
【発明の効果】
本発明によれば、前述したようにサブウーハシステムの設置位置を耳や経験に頼ることなく、サブウーハシステムに設けたレベルメータを監視することによって誰にでも容易に決めることができる。
【００２５】
また、レベルメータは普通にスピーカへの入力信号のモニター用としても使用できるため、通常使用中も有効に利用できる。
【図面の簡単な説明】
【図１】本発明の実施例である低音用スピーカシステムの構成を示すブロック図である。
【図２】同低音用スピーカシステム示す外観図である。
【符号の説明】
１　サブウーハシステム
２　サブウーハ
３　マイクロホン
４ａ、４ｂ、４ｃ　レベル表示装置
５　切り替えスイッチ
６ａ、６ｂ　発信器
７ａ、７ｂ、７ｃ　フィルター
８　増幅器
９ａ、９ｂ、９ｃ　レベル表示信号出力装置
１０　音声信号入力端子
【図１】
2004104289.tif 000003
【図２】
2004104289.tif 000004